(57)【要約】【課題】  遊技機に取り付けられている施錠機構のロックを解除するための遊技機用リモコンキーをユニバーサル化して、遊技場内の設備に装備されている施錠機構のロックを解除可能とする。【解決手段】  リモコンキー８に、解錠信号Ｘ、識別信号Ｙ、セキュリティコードＡ，Ｂ，Ｃ、及び金庫のダイヤル番号Ｚとを記憶させ、電動式解錠装置側で、前記リモコンキー８から送信された解錠信号Ｘ、識別信号Ｙ、セキュリティコードＡ，Ｂ，Ｃをチェックする。セキュリティコードＡ，Ｂ，Ｃはランク付けされていて、電動式解錠装置側は、同一又は上位ランクのセキュリティレベルのみに対応する。又、前記リモコンキー８は、発振ユニット１４とペアで携帯するようになっており、リモコンキー８が発振ユニット１４から遠ざかると、前記リモコンキーに記憶されている解錠信号Ｘ、識別信号Ｙ、セキュリティコードＡ，Ｂ，Ｃ、及び金庫のダイヤル番号Ｚは総て消去される。【選択図】  図４
2006241678.tif 000002
【特許請求の範囲】
【請求項１】
遊技場内に設置された遊技機に電動式解錠装置を取り付けると共に、遊技機以外の設備にも電動式解錠装置を取り付け、前記遊技機に取り付けられた電動式解錠装置のロックを解除する複数のリモコンキーに、解錠信号と、各リモコン固有の識別信号と、各リモコンキー毎にそれぞれセキュリテイレベルをランク付けするセキュリティコードとが含まれたデータを記憶させるメモリ回路と、解錠操作によって前記メモリ回路に記憶されているデータを出力する送信回路と、貸し出しを受けたスタッフの不携帯状態を検知した場合に前記データを消去するメモリリセット回路とを設ける一方、遊技機に取り付けられた電動式解錠装置には、少なくとも前記各リモコンキーに記憶させた解錠信号と識別番号とが含まれたデータを記憶するメモリ回路と、そのメモリ回路に記憶されている解錠信号と識別番号のデータを前記リモコンキーから出力された解錠信号と識別番号のデータと比較し、それらのデータが合致しなければ解錠動作を拒否する低レベルの認証プログラムを設け、遊技機以外の設備に採用された電動式解錠装置には、前記各リモコンキーに記憶させた解錠信号と識別番号及びセキュリティコードとが含まれたデータ記憶するメモリ回路と、そのメモリ回路に記憶されている解錠信号と識別番号及びセキュリティコードのデータと前記リモコンキーから出力された解錠信号と識別番号及びセキュリティコードのデータとを比較し、解錠信号と識別番号のデータが合致し、且つ、リモコンキーから出力されたデータに含まれるセキュリティコードのレベルが、遊技機以外の設備に取り付けられた電動式解錠装置に記憶されているセキュリティコードのレベルのランクをクリアしていなければ解錠動作を拒否する高レベルの認証プログラムを設けたことを特徴とする遊技場用電動式解錠システム。
【請求項２】
メモリリセット回路は、リモコンキーとペアで携帯する発振ユニットとの相互間で通信が不通になることにより自動的に作動する請求項１に記載の遊技場用電動式解錠システム。
【請求項３】
メモリリセット回路は、腕時計式のリモコンキーが腕から外されることにより自動的に作動する請求項１に記載の遊技場用電動式解錠システム。
【請求項４】
遊技機以外の設備に取り付けられた電動式解錠装置は、認証プログラムの実行結果を保存する履歴記録回路を備えた請求項１〜３のいずれかに記載の遊技場用電動式解錠システム。
【請求項５】
遊技機以外の設備に取り付けられた電動式解錠装置は、解錠動作を拒否したら警報を発する報知回路を備えた請求項１〜４いずれかに記載の遊技機場用電動式解錠システム。
【発明の詳細な説明】
【技術分野】
【０００１】
本発明は、遊技場（ホール）に設置されるパチンコ機、スロットマシン、パチスロ機などの遊技機に装備されている施錠機構のロックを解除するためのリモコンキーで、同じ遊技場内に設置されている各種設備の施錠機構のロックを解除可能とする、いわゆるユニバーサルタイプのリモコンキーを採用した遊技場用電動式解錠システムに関する。
【背景技術】
【０００２】
遊技機には、ガラス窓や枠体をロックする施錠機構と、そのロックを外すためにキーを差し込んで回動操作する手動式解錠装置とが標準装備されている。
施錠機構と解錠装置の基本的なメカニズムは確立されているが、機種やメーカー毎にその形態は微妙に異なるし、採用されているキーの形式も複数種が存在する。
又同じ形式のキーであっても、他の遊技場で使用されるキーとの互換性をなくすべく、キー番号が合致しなければ操作できないようにセキュリティ対策が施されている。
そのため機種の異なる遊技機が設置されたホールでは、異なる機種に相当する数のキーを携帯しなくてはならない。
そこで遊技場に設置される遊技機は、標準装備の解錠装置を、各遊技場専用の解錠装置と交換してキーの統一を図っていた。
【０００３】
キーの統一を図ることによって、携帯するキーの数は減少するが、キーを手回ししなくてはならないので、操作性は依然として変わらない。
そこで、特許文献１や特許文献２に記載のように、モータによって施錠機構のロックを解除する電動式の解錠装置が提案されている。
特許文献１に記載の装置は、従来の手動式解錠装置を無視して電動式専用に特化させているため、標準装備の装置とは基本的な構造が全く異なる。
そのため、標準装備されている装置は、その一部すら利用することができないので、特許文献１に記載の装置を採用するには、標準装備されている装置と総替えすることになってしまい、交換の手間や装置のコストを考えると無駄が多いといわざるを得ない。
特許文献２に記載の装置は、ロック用の係止爪をワイヤで引っ張るタイプであって、手動式の解錠装置でも解錠操作が可能であるため、電動式と手動式との使い分けをすることができるメリットはあるが、手動式の解錠装置をホールで活用させるためには、新たに別の装置を取り付けるのみならず、解錠装置の交換もしなくてはならない。
しかしながら、解錠装置の電動化を図ることにより操作性が改善されれば、前記キーを統一することとの組み合わせによるメリットは高い。
又、遊技機用電動式解錠装置としては、前記以外にも各種構造が提案されており、その中で最も注目を浴びているのとして、錠前部分にモータを内蔵したモータ内蔵タイプを挙げることができる。
標準装備されている手動式の解錠装置を交換していたこれまでの実情を考慮すると、このモータ内蔵タイプを採用することで、交換の際に電動化も一気に完了させることができるので、モータ内蔵タイプの解錠装置とキーの統一との組み合わせが最も理想的といえる。
【０００４】
【特許文献１】特開平５−２９３２３６号公報
【特許文献２】実開平８−３３６号公報
【発明の開示】
【発明が解決しようとする課題】
【０００５】
遊技場には、遊技機のみならず両替機、玉貸し機を始めとし、自動販売機、メインゲート、スタッフルームや事務所の出入り口、ロッカーや金庫等の備品に至るまで様々な部署に施錠機構が取り付けられていて、遊技機や両替機はそれらの専用キーが無ければ開閉操作はできないし、金庫は、金庫用のキーがあるからといってもダイヤルの番号を知らなければ開けることができないように、セキュリティ対策は万全といえる。
しかし、事務所に出入りする度にいちいちドアをロック／解除するのが煩わしいことから、営業中はドアに鍵が掛けられることは少なく、開けっ放し同然のため部外者といえど出入り自由になっているのが実情である。
又、複数の施錠装置操作用のキーを持ち歩いたり、必要なキーを素早く取り出せないなどの不満はあるものの、これまでの遊技場では、遊技機用（呼び出しランプ操作用と兼用を含む）のキーを一つに統一するのが精一杯であって、遊技機以外のキーは依然として常時携帯、或いは必要に応じて保管場所まで取りに行かなくてはならない。
そこで考えられるのが、遊技機以外の解錠装置を電動化すると共に、遊技機の解錠装置を操作するリモコンキーをユニバーサルタイプとすることで、電動化した遊技機以外の解錠装置も、遊技機用解錠装置のリモコンキーで操作可能にすれば、一つのキーで総てのロック解除が可能となり、ドアの開けっ放しも少なくなる。
ところがその反面、そのリモコンキーさえ持っていれば金庫まで開くことができるようになってしまう。
遊技場では、営業中のみリモコンキーを貸し出し、営業が終了すれば回収するシステムを徹底させてはいるが、盗難や紛失により第三者の不正使用で金庫が開けられてしまっては大損害を被るし、遊技場特有の事情から、内部犯行も否定できないという難問が新たに発生する。
【課題を解決するための手段】
【０００６】
本発明は、遊技場における施錠装置の操作性改善とセキュリティ対策の強化を図った遊技場用電動式解錠システムであって、その構成は、遊技場内に設置された遊技機に電動式解錠装置を取り付けると共に、遊技機以外の設備にも電動式解錠装置を取り付け、前記遊技機に取り付けられた電動式解錠装置のロックを解除する複数のリモコンキーに、解錠信号と、各リモコン固有の識別信号と、各リモコンキー毎にそれぞれセキュリテイレベルをランク付けするセキュリティコードとが含まれたデータを記憶させるメモリ回路と、解錠操作によって前記メモリ回路に記憶されているデータを出力する送信回路と、貸し出しを受けたスタッフの不携帯状態を検知した場合に前記データを消去するメモリリセット回路とを設ける一方、遊技機に取り付けられた電動式解錠装置には、少なくとも前記各リモコンキーに記憶させた解錠信号と識別番号とが含まれたデータを記憶するメモリ回路と、そのメモリ回路に記憶されている解錠信号と識別番号のデータを前記リモコンキーから出力された解錠信号と識別番号のデータと比較し、それらのデータが合致しなければ解錠動作を拒否する低レベルの認証プログラムを設け、遊技機以外の設備に採用された電動式解錠装置には、前記各リモコンキーに記憶させた解錠信号と識別番号及びセキュリティコードとが含まれたデータ記憶するメモリ回路と、そのメモリ回路に記憶されている解錠信号と識別番号及びセキュリティコードのデータと前記リモコンキーから出力された解錠信号と識別番号及びセキュリティコードのデータとを比較し、解錠信号と識別番号のデータが合致し、且つ、リモコンキーから出力されたデータに含まれるセキュリティコードのレベルが、遊技機以外の設備に取り付けられた電動式解錠装置に記憶されているセキュリティコードのレベルのランクをクリアしていなければ解錠動作を拒否する高レベルの認証プログラムを設けたことにある。
【０００７】
前記メモリリセット回路は、リモコンキーとペアで携帯する発振ユニットとの相互間で通信が不通になることにより自動的に作動させたり、腕時計式のリモコンキーが腕から外されることにより自動的に作動するようにできる。
又、遊技機以外の設備に取り付けられた電動式解錠装置には、認証プログラムの実行結果を保存する履歴記録回路を備えたり、解錠動作を拒否したら警報を発する報知回路を備えたることが望ましい。
【発明の効果】
【０００８】
遊技機以外の設備、例えば事務所のドア、金庫などを、遊技機に取り付けられた解錠装置用のリモコンキーで解錠操作することができるので、遊技場内では、一つのリモコンキーのみを携帯すれるだけで良くなる。
そしてそのリモコンキーの解錠機能は、記憶させるセキュリティレベルのランク分けと、高レベルの認証プログラムと低レベルの認証プログラムとよって差別化されるから、貸し出し先の管理体制が徹底されていれば、不正使用が防止され、高いセキュリティレベルを保つことができる。
万一、リモコンキーが盗難にあったり、置き忘れて悪意のある第三者の手に渡っても、貸し出しを受けたスタッフの不携帯状態を検知した場合にはデータが自動的に消去されるので、スタッフが不正使用を意図して第三者に手渡したとしても、その第三者が使用することはできない。
【０００９】
そして、前記メモリリセット回路を、リモコンキーとペアで携帯する発振ユニットとの相互間で通信が不通になることにより自動的に作動させたり、腕時計式のリモコンキーが腕から外されることにより自動的に作動するようにすれば、貸し出しを受けたスタッフがリモコンキーを肌身から離しただけでデータが消去され、リモコンキーの機能は無効となるので信頼性の向上を図ることができる。
又、遊技機以外の設備に取り付けられた電動式解錠装置に、認証プログラムの実行結果を保存する履歴記録回路を備えたり、解錠動作を拒否したら警報を発する報知回路を備えれば、不正使用の発見を早めることができ、不正使用の追跡調査も容易となる。
【発明を実施するための最良の形態】
【００１０】
本発明に係る遊技機用電動式解錠システムを図面に基づいて説明する。
図１は遊技場を示したもので、この遊技場内はプレイゾーン１、景品交換場２、事務所３、スタッフルーム４、その他図示しない機械室、会議室等にエリア分けされ、プレイゾーン１内には、各島列毎に数台のパチンコ機５，５・・や玉貸し機、両替機６，６・・などが組み付けられ、片隅に自動販売機７も設置されている。
遊技場のスタッフは、各自貸し与えられたリモコンキー８（８ａ，８ｂ，８ｃ）を常時携帯しており、前記各パチンコ機５、５・・には、前記リモコンキー８（８ａ，８ｂ，８ｃ）の操作でガラス窓や枠体ロックを解除する電動式解錠装置９ａ，９ａ・・が装備されている。
又、プレイゾーン１の出入り口（メインゲート）、事務所３やスタッフルーム４の出入り口に設けられた自動ロック式のドア１０、１１，１２には、それらのロックを解除するための電動式解錠装置９ａ，９ｂ、９ｂが装備され、又、事務所３内に備え付けられた自動ロック式の大型金庫１３にも、そのロックを解除するための電動式解錠装置９ｃが取り付けられている。
【００１１】
前記電動式解錠装置９（９ａ，９ｂ，９ｃ）の構造はまちまちであるが、少なくともパチンコ機５に取り付けられた電動式解錠装置９ａには、錠前部分にモータが組み込まれたモータ内蔵タイプが採用されている。
リモコンキー８には、図２に示すように、解錠信号Ｘ、識別信号Ｙ、セキュリティコードＡ，Ｂ，Ｃ及び金庫のダイヤル番号Ｚの入力が可能となっており、対する解錠装置９の制御部にも、図３に示すように、前記各リモコンキーに対応した解錠信号Ｘ、識別信号Ｙ、セキュリティコードＡ，Ｂ，Ｃ及び金庫のダイヤル番号Ｚのデータ入力が可能となっている。
前記セキュリティコードＡ，Ｂ，Ｃは、リモコンキー８ａに対してセキュリティコードＡを、リモコンキー８ｂに対してセキュリティコードＢを、リモコンキー８ｃに対してセキュリティコードＣをと、それぞれ個別に割り当てる。
【００１２】
又、前記リモコンキー８（８ａ，８ｂ，８ｃ）は、所定の周波数の信号を発する発振回路が組み込まれた発振ユニット１４とペアになっており、それぞれリモコンキー８（８ａ，８ｂ，８ｃ）と発振ユニット１４とがペアで貸し渡される。
そして前記データ（解錠信号Ｘ、識別信号Ｙ、セキュリティコードＡ，Ｂ，Ｃ）の入力は、スタッフに貸し与える直前に専用機にて入力され、ダイヤル番号Ｚのみ、随時、使用者が手動で打ち込み可能となっている。
【００１３】
次に、このように形成されたリモコンキーを使用する一形態を説明する。
作業領域がプレイゾーン１に限定されたサービススタッフに貸し与えられるリモコンキー８ａには、解錠信号Ｘと識別信号ＹとセキュリティコードＡとを入力し、事務職を兼ねた上級スタッフに貸し与えられるリモコンキー８ｂには、前記解錠信号Ｘと識別信号ＹとセキュリティコードＢとを入力し、役員クラスが所有するリモコンキー８ｃには、解錠信号Ｘと識別信号ＹとセキュリティコードＣとを入力する。
そして、セキュリティコードＣが入力されたリモコンキー８ｃには、金庫のロックを解除する直前にダイヤル番号の入力が義務付けられている。
【００１４】
一方、遊技機５とスタッフルーム４のドア１２に装備されている電動式解錠装置９ａの制御部には、解錠信号Ｘ、識別信号Ｙ及びセキュリティコードＡを入力し、プレイゾーン１の出入り口１０と事務所３のドア１１に装備されている解錠装置９ｂの制御部には、解錠信号Ｘ、識別信号Ｙ及びセキュリティコードＢとを入力する。
又、大型金庫１３に装備されている解錠装置９ｃの制御部には、解錠信号Ｘ、識別信号Ｙ及びセキュリティコードＣとダイヤル番号Ｚをを入力する。
【００１５】
前記セキュリティコードは制御部内にてランク付けされており、ＡよりＢの方がランクが上で、そのＢよりＣの方がランク高い。
それにより図４に示すように、セキュリティコードＢが入力されているリモコンキー８ａは、セキュリティコードＡの信号により低レベルの認証プログラムを実行する解錠装置９ａと、セキュリティコードＢにより中レベルの認証プログラムを実行する解錠装置９ｂとを操作することが可能であるが、セキュリティコードＣにより高レベルの認証プログラムを実行する解錠装置９ｃを操作することはできず、セキュリティコードＡが入力されているリモコンキー８ａは、セキュリティコードＡにより低レベルの認証プログラムを実行する解錠装置９ａのみの操作しかできない。
【００１６】
又、前記リモコンキー８（８ａ，８ｂ，８ｃ）には、入力されたデータを記憶しておくメモリ回路と、解錠操作によって前記メモリ回路に記憶されているデータを出力する送信回路に加え、リモコンキーとペアとして貸し与える発振ユニット１４から発振信号の受信が途絶えた場合、所定時間経過後に前記記憶しているデータを消去するメモリリセット回路が備えられている。
【００１７】
続いて解錠装置の動作について図５のフローチャート図に基づき説明する。
電動式解錠装置９（９ａ，９ｂ，９ｃ）の制御部は、Ｓ１にて解錠信号Ｘを受信すると、Ｓ２にて認証プログラムの実行に入り、先ず、Ｓ３で前記解錠信号Ｘと共に送信された識別信号Ｙの内容をチェックする。
リモコンキー６と電動式解錠装置９とに入力される各種データは、随時更新や変更されるので、前記Ｓ１及びＳ３では、最新のデータを含む信号以外は受け入れられず、又、他店のホールで使用されているリモコンキーの信号等もブロックされる。
識別信号Ｘが正しければ、セキュリティコードＹのチェックに入り、Ｓ４におけるセキュリティコードＹのチェックは、各モコンキー８（８ａ，８ｂ，８ｃ）に割り当てられているセキュリティコードＹのランクを比較する。
遊技機５やスタッフルームのドア１２に装備されている解錠装置９ａは、Ａ，Ｂ，Ｃいずれかのセキュリティコードが認識されれば、即Ｓ８にジャンプして解錠動作を実行し、事務室のドア１１に装備された解錠装置９ｂでは、セキュリティコードＡが認識されても、セキュリティコードＢ又はＣが認識されなければＳ５にて警報が発せられ、セキュリティコードＢ又はＣが認識されれば、Ｓ６のダイヤル番号のチェックをスキップし、Ｓ８で解錠動作が実行される。
【００１８】
大型金庫１３に装備されている解錠装置９ｃは、Ｓ４でセキュリティコードＣが認識された場合にのみダイヤル番号Ｚをチェックするようプログラムされていて、リモコンキー８ｃを操作する者は、リモコンキー８ｃの操作に先立ってダイヤル番号Ｚを打ち込んでおく。
解錠信号Ｘ等と共に送信されたダイヤル番号Ｚの信号が、大型金庫１３に装備されている解錠装置９ｃに記憶されているダイヤル番号Ｚと合致して始めてＳ７で大型金庫１３に設置されている解錠装置９ｃが解錠操作される。
尚、前記電動式解錠装置９には、解錠動作に続き、Ｓ８にて履歴を記憶する履歴を記憶する機能がプログラムされている。
【００１９】
リモコンキー８とペアで貸し与えられた発振ユニット１４を胸ポケットなどに入れておけば、リモコンキー８が盗難に遭遇したり、置き忘れることによって発振ユニット１４との距離が遠くなって電波の受信が途絶えると、例えば１５秒後にデータが消去され、機能を失い、使用不能となる。
使用不能となったリモコンキー８は、再度データを入力することによって機能を回復させることができる。
発振ユニット１４と共にリモコンキー８を紛失し、それらを発見できない最悪の事態が生じたら総てのリモコンキー８と電動式解錠装置９に記憶されているデータを書き直してしまうことで対応できる。
【００２０】
実施例では、貸し出しを受けたスタッフの不携帯状態をリモコンキーとペアで携帯する発振ユニットとの相互間における通信状態をモニタし通信が不通になることにより自動的に作動するようになっているが、リモコンキーに腕時計式を採用し、そのリモコンキーが腕から外されることにより自動的に作動するようにもできる。
その場合、腕から外されたことは、バンドの掛け金を外すことにより通電が絶たれるスイッチング回路にて検知したり、体温や脈拍をモニタし、そのモニタ結果の異常から推測するなど、用途に応じて選択できる。
【００２１】
尚本発明において、チェック項目は前記実施例に限定されるものでなく、ダイヤル番号のチェックを省略したり、スタッフの受け持ちエリアを島毎に割り当て、セキュリティレベルをそれら割り当てられた島毎に設定したり、セキュリティのランクをレベルアップしたり、ダイヤル番号が間違っていた場合に警報を発するなど適宜変更して差し支えない。
又、本発明は遊技場内に設置される遊技機がパチンコ機以外であっても、又遊技機以外の設備はドアや大型金庫に限定されるものでなく、あらゆる遊技機、玉貸し機、自販機等に取り付けられた電動式解錠装置に対して適用される。
【図面の簡単な説明】
【００２２】
【図１】本発明に係る遊技場用電動式解錠システムを示した説明図である。
【図２】リモコンキーに入力されるデータを示した説明図である。
【図３】解錠装置に入力されるデータを示した説明図である。
【図４】遊技場用電動式解錠システムの観念図である。
【図５】解錠プログラムのフローチャート図である。
【符号の説明】
【００２３】
１・・プレイゾーン、２・・景品交換所  ３・・事務所、４・・スタッフルーム、５・・遊技機、６・・両替機、７・・・自動販売機、８，８ａ，８ｂ、８ｃ・・リモコンキー、９・・電動式解錠装置、９ａ・・（遊技機にに取り付けられている）電動式解錠装置、９ｂ・・（事務所のドアに取り付けられている）電動式解錠装置、９ｃ・・（金庫に取り付けられている）電動式解錠装置、１０・・（メインゲート）のドア、１１・・（スタッフルームの）ドア、１２・・（事務所の）ドア、１３・・大型金庫、１４・・発振ユニット、Ａ，Ｂ，Ｃ・・セキュリティコード、Ｘ・・解錠信号、Ｙ・・識別信号、Ｚ・・ダイヤル番号。      
【図１】
2006241678.tif 000003
【図２】
2006241678.tif 000004
【図３】
2006241678.tif 000005
【図４】
2006241678.tif 000006
【図５】
2006241678.tif 000007